【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
フィールド機器が接続される複数の接続部を有する第１インターフェイスと、前記フィールド機器を制御するコントローラが接続される第２インターフェイスと、外部装置が接続される第３インターフェイスと、前記第３インターフェイスを介して入力される前記外部装置からの設定指示に基づき、前記第１インターフェイスに設けられた前記接続部の各々に、前記接続部の各々を論理的に識別するタグ情報を設定する設定部とを備え、複数の前記フィールド機器を前記コントローラに接続するＩ／Ｏモジュールに前記外部装置として接続される設定装置であって、
前記Ｉ／Ｏモジュールの前記第３インターフェイスに接続される下位インターフェイスと、
前記フィールド機器と前記Ｉ／Ｏモジュールとの間の入出力に係る設定情報を格納する格納部と、
前記格納部に格納された前記設定情報を用いて、前記Ｉ／Ｏモジュール及び前記フィールド機器の少なくとも一方に対する前記設定指示を、前記下位インターフェイスを介して行う指示部と
を備えることを特徴とする設定装置。
【請求項２】
前記下位インターフェイスを介して、前記Ｉ／Ｏモジュールに接続された前記フィールド機器の状態の確認を行うチェック部を備えることを特徴とする請求項１記載の設定装置。
【請求項３】
前記格納部は、前記フィールド機器について確認すべき項目及び手順を規定するチェック情報を格納しており、
前記チェック部は、前記格納部に格納された前記チェック情報に基づいて、前記フィールド機器の状態の確認を行う
ことを特徴とする請求項２記載の設定装置。
【請求項４】
前記チェック部は、前記フィールド機器の状態の確認を行って得られた確認情報に、前記フィールド機器の状態の確認を行った時刻を示す時刻情報を加えて履歴情報として前記格納部に格納することを特徴とする請求項２又は請求項３記載の設定装置。
【請求項５】
前記チェック部は、前記フィールド機器の状態の確認状況を示す進捗情報を、表示させ或いは外部に通知させることを特徴とする請求項２から請求項４の何れか一項に記載の設定装置。
【請求項６】
前記設定情報は、前記Ｉ／Ｏモジュールの前記第１インターフェイスに設けられた前記接続部の各々に設定される前記タグ情報と、前記接続部に接続される前記フィールド機器における入出力情報とが対応づけられた第１設定情報と、
前記接続部の各々を論理的に識別するために前記コントローラで用いられるタグ情報と、前記接続部における入出力情報とが対応づけられた第２設定情報と
を含むことを特徴とする請求項１から請求項５の何れか一項に記載の設定装置。
【請求項７】
前記第１設定情報に含まれる前記タグ情報と、第２設定情報に含まれる前記タグ情報との対応付けを行って、前記接続部における入出力情報と前記フィールド機器における入出力情報とを結合させる結合部を備えることを特徴とする請求項６記載の設定装置。
【請求項８】
上位装置又はオフラインの装置に接続される上位インターフェイスを備えており、
前記格納部に格納される前記設定情報は、前記上位インターフェイスを介して前記上位装置又はオフラインの装置から得られる
ことを特徴とする請求項１から請求項７の何れか一項に記載の設定装置。
【請求項９】
フィールド機器が接続される複数の接続部を有する第１インターフェイスと、外部装置が接続される第２インターフェイスと、前記第２インターフェイスを介して入力される前記外部装置からの設定指示に基づき、前記第１インターフェイスに設けられた前記接続部の各々に、前記接続部の各々を論理的に識別するタグ情報を設定する設定部とを備え、複数の前記フィールド機器をコントローラに接続するＩ／Ｏモジュールに前記外部装置として接続される設定装置であって、
前記Ｉ／Ｏモジュールの前記第２インターフェイスに接続される下位インターフェイスと、
前記フィールド機器と前記Ｉ／Ｏモジュールとの間の入出力に係る設定情報を格納する格納部と、
前記格納部に格納された前記設定情報を用いて、前記Ｉ／Ｏモジュール及び前記フィールド機器の少なくとも一方に対する前記設定指示を、前記下位インターフェイスを介して行う指示部と
を備えることを特徴とする設定装置。
【請求項１０】
フィールド機器が接続される複数の接続部を有する第１インターフェイスを備え、複数の前記フィールド機器をコントローラに接続するＩ／Ｏモジュールにおいて、
外部の設定装置が接続される第２インターフェイスと、
前記第２インターフェイスを介して入力される前記設定装置からの設定指示に基づき、前記第１インターフェイスに設けられた前記接続部の各々に、前記接続部の各々を論理的に識別するタグ情報を設定する設定部と
を備え、
前記設定部は、前記第２インターフェイスを介して入力される前記設定装置からの設定指示に基づき、前記タグ情報を用いて、設定が行われた前記接続部に接続された前記フィールド機器の設定を行う
ことを特徴とするＩ／Ｏモジュール。
【請求項１１】
工業プロセスの制御を行うプロセス制御システムの構築方法であって、
フィールド機器が接続される複数の接続部を有する第１インターフェイスと、前記フィールド機器を制御するコントローラが接続される第２インターフェイスと、外部の設定装置が接続される第３インターフェイスと、前記第３インターフェイスを介して入力される前記設定装置からの設定指示に基づき、前記第１インターフェイスに設けられた前記接続部の各々に、前記接続部の各々を論理的に識別するタグ情報を設定する設定部とを備え、複数の前記フィールド機器を前記コントローラに接続するＩ／Ｏモジュールと前記フィールド機器とを現場に設置して配線を行い、前記Ｉ／Ｏモジュールに接続された前記設定装置を用いて、前記Ｉ／Ｏモジュール及び前記フィールド機器の設定を行う第１工程を有することを特徴とするプロセス制御システムの構築方法。
【請求項１２】
前記第１工程は、前記フィールド機器が接続された複数の前記Ｉ／Ｏモジュールの各々に前記設定装置を接続し、複数の前記Ｉ／Ｏモジュール及び前記フィールド機器の設定を複数並列に又は個別に行う工程であることを特徴とする請求項１１記載のプロセス制御システムの構築方法。
【請求項１３】
前記第１工程とは独立して、前記Ｉ／Ｏモジュールの前記第１インターフェイスに設けられた前記接続部の各々を論理的に識別するタグ情報を用いて、前記フィールド機器を制御する前記コントローラの設計を行う第２工程と、
前記第２工程で設計された前記コントローラを前記現場に設置して前記Ｉ／Ｏモジュールに接続し、前記コントローラで用いられるタグ情報と、前記Ｉ／Ｏモジュールで設定されたタグ情報との対応付けを行って、前記プロセス制御システムの試験を行う第３工程と
を有することを特徴とする請求項１１又は請求項１２記載のプロセス制御システムの構築方法。
【請求項１４】
工業プロセスの制御を行うプロセス制御システムの構築方法であって、
フィールド機器が接続される複数の接続部を有する第１インターフェイスと、外部の設定装置が接続される第２インターフェイスと、前記第２インターフェイスを介して入力される前記設定装置からの設定指示に基づき、前記第１インターフェイスに設けられた前記接続部の各々に、前記接続部の各々を論理的に識別するタグ情報を設定する設定部とを備え、複数の前記フィールド機器をコントローラに接続するＩ／Ｏモジュールと前記フィールド機器とを現場に設置して配線を行い、前記Ｉ／Ｏモジュールに接続された前記設定装置を用いて、前記Ｉ／Ｏモジュール及び前記フィールド機器の設定を行う第１工程を有することを特徴とするプロセス制御システムの構築方法。
【手続補正２】
【補正対象書類名】明細書
【補正対象項目名】発明の名称
【補正方法】変更
【補正の内容】
【発明の名称】設定装置、Ｉ／Ｏモジュール、及びプロセス制御システムの構築方法
【手続補正３】
【補正対象書類名】明細書
【補正対象項目名】０００１
【補正方法】変更
【補正の内容】
【０００１】
本発明は、設定装置、Ｉ／Ｏモジュール、及びプロセス制御システムの構築方法に関する。
【手続補正４】
【補正対象書類名】明細書
【補正対象項目名】００１１
【補正方法】変更
【補正の内容】
【００１１】
本発明は上記事情に鑑みてなされたものであり、従来よりもプロセス制御システムの構築に要する時間を短縮することが可能な設定装置、Ｉ／Ｏモジュール、及びプロセス制御システムの構築方法を提供することを目的とする。